【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  基端と、穿刺用端を備える末端とを有するニードルカニューレと、
基端と末端とを有し、前記ニードルカニューレの基端を支持するハブ部材と、
前記ハブ部材および前記ニードルカニューレに対して軸線方向に移動可能とされるシールド部材であって、前記ニードルカニューレの前記穿刺用端が前記シールド部材から露出する保護しない位置と前記シールド部材が該ニードルカニューレの該穿刺用端を覆う保護する位置との間で移動可能とされるシールド部材と、
前記ハブと前記シールド部材とを相互接続する一対の可変長部材であって、該一対の可変長部材がニードルアッセンブリの相対向する面から延在する一対の翼を形成する横方向の位置と、該一対の可変長部材が伸長され前記シールド部材が前記保護しない位置から前記保護する位置まで移動する伸長位置との間で移動可能である一対の可変長部材と、
を含んでなるニードルアッセンブリ。
【請求項２】  前記一対の可変長部材は、弾力のある可撓性の材料で形成される請求項１記載のニードルアッセンブリ。
【請求項３】  前記一対の可変長部材は、それぞれ、基端延長部および末端延長部を含み、前記一対の可変長部材の各基端延長部は、前記ハブ部材の相対向する側面に接続され、前記一対の可変長部材の各末端延長部は、前記シールド部材の相対向する側面に接続される請求項１記載のニードルアッセンブリ。
【請求項４】  前記一対の可変長部材の前記各基端延長部が、それぞれ、前記ハブ部材の相対向する側面に接続され、前記一対の可変長部材の各末端延長部が、それぞれ、一体丁番により前記シールド部材の相対向する側面に接続される請求項３記載のニードルアッセンブリ。
【請求項５】  前記一対の可変長部材は、それぞれ、前記シールド部材を後退した位置から伸長した位置まで移動させるように伸長可能な構造を有する伸長可能な橋梁を含んでいる請求項３記載のニードルアッセンブリ。
【請求項６】  前記各伸長可能な橋梁の構造は、一体丁番を形成する部分的な切取部を含む請求項５記載のニードルアッセンブリ。
【請求項７】  前記伸長可能な橋梁は、それぞれ、第１および第２のロック用機構を含み、互いに係合可能である該第１のロック用機構、および、互いに係合可能である該第２のロック機構は、前記一対の可変長部材が伸長される伸長位置で前記一対の可変長部材を固定する請求項６記載のニードルアッセンブリ。
【請求項８】  前記一対の可変長部材は、前記一対の可変長部材が単一の構造を形成する合わせ位置、該一対の可変長部材が前記ニードルアッセンブリの相対向する側面から延在する一対の翼を形成するように広げられる横方向の位置、および、前記シールド部材が前記保護しない位置から前記保護する位置まで移動するように該一対の可変長部材が伸長される伸長位置間を移動可能である請求項１記載のニードルアッセンブリ。
【請求項９】  前記一対の可変長部材は、前記一対の可変長部材が単一の構造を形成する前記合わせ位置にある場合、背びれを形成する請求項８記載のニードルアッセンブリ。
【請求項１０】  前記一対の可変長部材は、該一対の可変長部材が単一の構造を形成する前記合わせ位置で該一対の可変長部材を解放可能に維持するための手段を含む請求項８記載のニードルアッセンブリ。
【請求項１１】  さらに、前記シールド部材が前記保護する位置と前記保護しない位置との間で軸線方向に移動することを防止する手段を含む請求項１記載のニードルアッセンブリ。
【請求項１２】  前記シールド部材は、さらに、プラスチック材料で形成されるチップガードハウジング、該ハウジングに取り付けられる金属製のスプリングクリップを備えるチップガードを含み、該スプリングクリップは、該シールド部材が保護しない位置にある場合、前記ニードルカニューレに対し偏移し、該シールド部材が前記保護する位置にある場合、該ニードルカニューレの末端を越えて弾性的に移動せしめられる請求項１記載のニードルアッセンブリ。
【請求項１３】  前記ハブ部材は、血液採集セットのフレキシブルチューブへの接続に適合している請求項１記載のニードルアッセンブリ。
【請求項１４】  基端と、穿刺用端を備える末端とを有するニードルカニューレと、
基端と末端とを有し、前記ニードルカニューレの基端を支持するハブ部材と、
前記ハブ部材および前記ニードルカニューレに対して軸線方向に移動可能とされるシールド部材であって、前記ニードルカニューレの前記穿刺用端が前記シールド部材から露出する保護しない位置と前記シールド部材が該ニードルカニューレの該穿刺用端を覆う保護する位置との間で移動可能とされるシールド部材と、
前記ハブと前記シールド部材とを相互接続する一対の可変長部材であって、単一構造を形成するように接合可能であり、前記ニードルアッセンブリの相対向する面から延在する一対の翼を形成するように広げることが可能であり、該シールド部材が前記保護しない位置から前記保護する位置まで移動するように延在可能な構造を含む一対の可変長部材と、
を含むニードルアッセンブリ。
【請求項１５】  前記一対の可変長部材は、背びれを形成するように接合可能である構造を含む請求項１４記載のニードルアッセンブリ。
【請求項１６】  前記一対の可変長部材は、それぞれ、基端延長部および末端延長部を含み、前記一対の可変長部材の各基端延長部は、前記ハブ部材の相対向する側面に接続され、前記一対の可変長部材の各末端延長部は、前記シールド部材の相対向する側面に一体丁番により接続される請求項１４記載のニードルアッセンブリ。
【請求項１７】  前記一対の可変長部材は、それぞれ、前記シールド部材を前記保護しない位置から前記保護する位置まで移動させるように延在することができる構造を有する伸長可能な橋梁を含む請求項１４記載のニードルアッセンブリ。
【請求項１８】  さらに、前記シールド部材が前記保護しない位置と前記保護する位置との間を軸線方向に移動することを防止するロッキングアッセンブリを含む請求項１４記載のニードルアッセンブリ。
【請求項１９】  血液採集セットを容器に接続するための取付具と、
相対向する第１および第２の端部を有するフレキシブルチューブであって、該フレキシブルチューブの第１の端部が前記取付具に接続されるフレキシブルチューブと、
外面、基端、末端、およびその中を延在する通路を有するハウジングを含むハブであって、該ハブの基端に前記フレキシブルチューブの前記第２の端部に取り付けられるハブと、
前記ハブの前記末端から延在するニードルカニューレであって、基端および穿刺用端を有する末端を含むニードルカニューレと、
基端、末端、およびその中を延在する通路を有するハウジングを含むシールドであって、前記ニードルカニューレを共通軸線上で取り囲み、前記ニードルカニューレの前記穿刺用端が該シールドの末端から露出される保護しない位置と該シールドが該ニードルカニューレの該穿刺用端を覆う保護する位置との間を移動するに適合したシールドと、
前記ハブと前記シールドとを相互に接続する一対の可変長部材であって、該一対の可変長部材が前記ニードルアッセンブリの相対向する面から延在する一対の翼を形成する横方向の位置と該一対の可変長部材が、該シールドが前記保護しない位置から前記保護する位置まで移動するように伸長される伸長位置との間を移動可能である一対の可変長部材と、
を含む保護可能な血液採集セット。
【請求項２０】  前記一対の可変長部材は、前記一対の可変長部材が単一の構造を形成する合わせ位置、該一対の可変長部材が前記ニードルアッセンブリの相対向する側面から延在する一対の翼を形成するように広げられる横方向の位置、および、前記シールド部材が前記保護しない位置から前記保護する位置まで移動するように該一対の可変長部材が伸長される伸長位置間を移動可能である請求項１９記載の血液採集セット。
【請求項２１】  前記一対の可変長部材が前記合わせ位置にある場合、前記シールドが、前記保護しない位置にあって、前記ハブに隣接し、該一対の可変長部材が前記伸長位置まで延長する場合、該シールドが保護する位置にある請求項２０記載の血液採集セット。
【手続補正２】
【補正対象書類名】明細書
【補正対象項目名】００６０
【補正方法】変更
【補正の内容】
【００６０】
ここで、使用者は、使用者の親指および人差し指により、隣接した橋梁丁番９８および１００の相対向する端部で可変長部材７０および７２を握ることができる。橋梁丁番９８および１００に対し矢印１４４および１４６の方向に力を作用させることにより、即ち、注射装置１２の中心軸線に向ってお互いに対し橋梁丁番９８および１００を移動させることにより、切取部９４および９６が、橋梁丁番９８および１００伝いに拡張される。それにより、伸長可能な橋梁９０および９２が伸長する。可変長部材７０および７２を介して設けられるハブ３０およびシールド５０の間の相互接続により、橋梁丁番９８および１００伝いのそのような伸長によってハブ３０およびシールド５０が相対向する軸線方向に移動せしめられる状態でシールド５０がニードルカニューレ２０に沿って矢印１４８の方向に移動せしめられる。従って、ニードルカニューレ２０の穿刺用端２８は、図３に示される保護の位置でシールド５０により安全に保護される。
【手続補正３】
【補正対象書類名】明細書
【補正対象項目名】図面の簡単な説明
【補正方法】変更
【補正の内容】
【図面の簡単な説明】
【図１】
保護しない位置で示される本発明に従うニードルアッセンブリの斜視図である。
【図２】
試料採取の位置で示される図１におけるニードルアッセンブリの斜視図である。
【図３】
保護の位置で示される図１における注射針の斜視図である。
【図４】
図３における４−４線に沿って示される断面図である。
【図５】
図３における５−５線に沿って示される断面図である。
【図６】
本発明に従う血液採集セットの斜視図である。
【図７】
保護の位置でチップガードを含む代替のニードルアッセンブリの斜視図である。
【図８】
図７のニードルアッセンブリの断面図である。
【図９】
本発明の代替の実施例において使用するチップガードアッセンブリの断面図である。
【図１０】
保護しない位置で示される図９のチップガードアッセンブリの断面図である。
【図１１】
保護する位置で示される図９のチップガードアッセンブリの断面図である。